(57)【要約】【課題】  原稿全面の画像を同一のピント位置で読取ることができ、ピントボケの少ない画像読取を可能にする画像読取装置を提供する。【解決手段】  ローラ３，４には搬送ベルト１６が掛け渡されており、搬送ベルト１６によって原稿１８が搬送され、モータファン３１，３２により風圧で原稿１８を搬送ベルト１６に密着させて原稿１８の浮き上がりを防止して、原稿１８とセルフォックレンズ２４との距離を一定距離に保つ。その結果、被写体深度が浅いセルフォックレンズ２４を用いても、イメージセンサ２５への結像位置を一定にすることができるので、イメージセンサ２５により原稿１８の全面の画像を同一のピント位置で読取ることができ、ピントボケの少ない画像読取が可能になる。【選択図】      図２
2006129253.tif 000002
【特許請求の範囲】
【請求項１】
原稿の画像を読取るための画像読取装置であって、
前記原稿を載置して搬送するための搬送ベルトと、
前記搬送ベルトに載置された原稿の画像を読取る読取手段と、
前記読取手段の近傍に配置され、風圧により前記原稿を前記搬送手段に密着させる風圧手段とを備える、画像読取装置。
【請求項２】
さらに、前記読取手段を囲むダクトを含み、
前記風圧手段は、前記ダクト内に風を送り込んで前記原稿の前記読取手段の周囲を前記搬送手段に密着させる、請求項１に記載の画像読取装置。
【請求項３】
前記ダクト内には発熱する基板が配置されていて、前記風圧手段からの風により前記基板を冷却する、請求項２に記載の画像読取装置。
【請求項４】
前記搬送手段は、複数の穴が形成された搬送ベルトであって、
前記風圧手段は、前記搬送ベルトの複数の穴を介して前記原稿を吸引する、請求項１に記載の画像読取装置。
【請求項５】
前記風圧印加手段は、モータファンであって複数設けられる、請求項１から４のいずれかに記載の画像読取装置。
【発明の詳細な説明】
【技術分野】
【０００１】
この発明は画像読取装置に関し、例えばコピー機やＦＡＸなどのように原稿を搬送して、光電変換素子を用いて画像を読取る画像読取装置に関する。
【背景技術】
【０００２】
例えば、デジタル複写機のような画像形成装置においては、画像読取装置が内蔵されている。画像読取装置は、原稿を搬送ローラによって搬送して原稿表面に光を照射し、原稿表面からの反射光を光電変換素子によって光電変換して原稿上の画像を読取るように構成されている。
【０００３】
ところが、原稿は様々な厚さのものが使用されているため、この厚さの変化により読取画像位置がずれてしまうことがある。特に、光電変換素子として、例えばＣＩＳ（Ｃｏｎｔａｃｔ  Ｉｍａｇｅ  Ｓｅｎｓｏｒ：密着イメージセンサ）を用いた場合には、反射光をイメージセンサに導くためにセルフォックレンズが用いられているが、セルフォックレンズは、被写体深度が浅いため、ピント位置を厳密に調整しなければ入射される像がボケてしまい、解像度が低下してしまう。
【０００４】
このために、特開２００３−３２４４２号公報（特許文献１）には、原稿の厚さを検出し、検出した厚さに対応してレンズによる光電変換素子への画像の結像位置が一定になるように搬送ローラの位置を制御する画像読取装置について記載されている。
【０００５】
特開平９−２３３０４号公報（特許文献２）には、原稿影を軽減するために原稿の読取画像面に接する半透明シート部材からなる原稿キャリアシートを原稿上に載置し、半透明シート部材を介して原稿を読取ることで、原稿の浮きを無くした画像形成装置について記載されている。
【特許文献１】特開２００３−３２４４２号公報（段落番号００２７、図８）
【特許文献２】特開平９−２３３０４号公報（段落番号００１１〜００１３、図１）
【発明の開示】
【発明が解決しようとする課題】
【０００６】
しかし、特許文献１では光電変換素子の筐体にばらつきがあり、原稿が載置されるガラス面にも反りなどがあり、特に、原稿の先端，後端における原稿浮きなどの位置のばらつきがあるので、原稿全面の画像を光電変換素子の最良のピント位置に通すのは極めて困難である。
【０００７】
また、特許文献２のように原稿の読取ごとに、原稿上に半透明シート部材である原稿キャリアシートを載置することはユーザに負担を強いることになり、非効率である。
【０００８】
そこで、この発明は、原稿全面の画像を同一のピント位置で読取ることができ、ピントボケの少ない画像読取を可能にする画像読取装置を提供することである。
【課題を解決するための手段】
【０００９】
この発明は、原稿の画像を読取るための画像読取装置であって、原稿を載置して搬送するための搬送ベルトと、搬送ベルト上の原稿の画像を読取る読取手段と、読取手段の近傍に配置され、風圧により原稿を搬送ベルトに密着させる風圧手段とを備える。
【００１０】
さらに、読取手段を囲むダクトを含み、風圧手段はダクト内に風を送り込んで原稿の読取手段の周囲を搬送手段に密着させる。
【００１１】
好ましくは、ダクト内には発熱する基板が配置されていて、風圧手段からの風により基板を冷却する。
【００１２】
具体的な実施形態では、搬送手段は複数の穴が形成された搬送ベルトであって、風圧手段は搬送ベルトの複数の穴を介して原稿を吸引する。
【００１３】
好ましくは、風圧印加手段はモータファンであって複数設けられる。
【発明の効果】
【００１４】
この発明では、搬送ベルトによって搬送される原稿上に風圧手段により風圧を与えて原稿が浮き上がらないように搬送手段上に密着させ、原稿と読取手段との間の距離を一定にして読取手段により原稿の画像を読取るようにしたので、原稿の全面の画像を同一のピント位置で読取ることができ、ピントボケの少ない画像読取が可能になる。
【発明を実施するための最良の形態】
【００１５】
図１はこの発明の一実施形態における画像読取装置の原稿搬送経路を示す概略図であり、図２はこの発明の一実施形態の画像読取装置を示す図である。
【００１６】
図１および図２において、原稿トレイ１には原稿が載置され、給紙ローラ２によって原稿が１枚づつ取り込まれる。取り込まれた原稿はローラ３と４とに掛け渡された搬送ベルト１６によって搬送され、さらに搬送ローラ５ａと５ｂ，６ａと６ｂ，７ａと７ｂによって搬送され、排出トレイ８に排出される。搬送ベルト１６は、その幅が原稿１８と同じかそれ以上の幅を有している。ローラ３と４との間には、ＣＩＳなどで構成された読取部２０が配置されている。読取部２０は原稿１８上の画像を読取る。
【００１７】
読取部２０には、原稿１８に対向してガラス２１が設けられており、ガラス２１上にはランプ２２，２３が配置されていて、ランプ２２と２３との間にはセルフォックレンズ２４が設けられている。セルフォックレンズ２４の光軸上にはイメージセンサ２５が配置されている。
【００１８】
読取部２０の搬送方向上流側および下流側には、風圧手段としてのモータファン３１，３２が設けられている。モータファン３１，３２は矢印で示す方向に風圧を発生し、この風圧で原稿１８を搬送ベルト１６に吹付ける。搬送ベルト１６は原稿１８と幅が等しいかそれ以上になるように選ばれているので、原稿１８が浮き上がることがなく搬送ベルト１６に密着する。そして、ランプ２２，２３は、原稿１８上を照射し、その反射光がセルフォックレンズ２４を介してイメージセンサ２５に入射されて原稿１８の画像が読取られる。
【００１９】
したがって、この実施形態によれば、モータファン３１，３２により風圧で原稿１８を搬送ベルト１６に密着させて原稿１８の浮き上がりを防止できるので、原稿１８とセルフォックレンズ２４との距離を一定に保つことができる。その結果、被写体深度が浅いセルフォックレンズ２４を用いても、イメージセンサ２５への結像位置を一定にすることができるので、イメージセンサ２５により原稿１８の全面の画像を同一のピント位置で読取ることができ、ピントボケの少ない画像読取が可能になる。
【００２０】
図３はこの発明の他の実施形態における画像読取装置を示す図である。この実施形態は、読取装置２０を上側から囲み、底が開放されたダクト４０を設け、ダクト４０の上部にモータファン３１を配置したものである。読取装置２０は図２と同様にしてＣＩＳによって構成されている。
【００２１】
図２に示した実施形態では、モータファン３１，３２の周囲をダクトで囲んでいないため、一定の均一な風圧で原稿１８を搬送ベルト１６に密着させるのが困難である。これに対して、図３に示した実施形態では、モータファン３１によりダクト４０内の読取部２０の周囲を一定の風圧にして、原稿１８を搬送ベルト１６に密着させることができるので原稿１８の浮き上がりを防止できる。
【００２２】
その結果、原稿１８とセルフォックレンズ２４との距離をより一定距離に保つことができ、イメージセンサ２５により原稿１８の全面の画像を同一のピント位置で読取ることができ、ピントボケの少ない画像読取が可能になる。さらに、この実施形態では、モータファン３１による送風でイメージセンサ２５を冷却することもできる。
【００２３】
図４はこの発明のさらに他の実施形態における画像読取装置を示す図である。この実施形態は、ダクト４１を水平部分と垂直部分とを含むＬ字形状に形成し、基板４２をダクト４１の水平部分に配置し、ダクト４１の垂直部分に読取部２０を配置したものである。そして、モータファン３１によりダクト４１の水平部分内に送風して基板４２を冷却するとともに、ダクト４１の垂直部分に配置された読取部２０の周囲を一定の風圧にして原稿１８を搬送ベルト１６に密着させる。基板４２としては、発熱部品を搭載した電源基板などを配置するのが好ましい。この例においても、モータファン３１からの送風によりイメージセンサ２５も冷却される。
【００２４】
この実施形態では、モータファン３１でダクト４１内の基板４２とイメージセンサ２５とを冷却するとともに、読取部２０の周辺に一定の風圧をかけて原稿１８をベルト１６に密着させて原稿１８の浮き上がりを防止できる。
【００２５】
図５はこの発明のさらに他の実施形態の画像読取装置を示す図である。この実施形態は、搬送ベルト１６側にモータファン３１が配置されており、搬送ベルト１６には図示しないが複数の穴が形成されている。モータファン３１が回転すると、搬送ベルト１６側が吸引されて矢印方向に風圧が発生する。
【００２６】
搬送ベルト１６には複数の穴が形成されているので、原稿１８が搬送ベルト１６に吸着されて、原稿１８が浮き上がるのが防止される。これにより、読取時の原稿１８を平坦にすることができ、原稿１８とセルフォックレンズ２４との距離を一定距離に保つことができ、イメージセンサ２５により原稿１８の全面の画像を同一のピント位置で読取ることができ、ピントボケの少ない画像読取が可能になる。
【００２７】
なお、図２に示した実施形態では複数のモータファン３１，３２を設けるようにしたが、図３〜図５の実施形態においても、モータファンを複数設けてもよい。
【００２８】
さらに、ベルト１６の下部に読取部２０に対向して別のローラを配置すれば、ベルト１６が風圧により下方に押し下げられるのを防止できて、原稿１８をよりベルト１６に密着させることができる。
【００２９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３０】
【図１】この発明の一実施形態における画像読取装置の原稿搬送経路を示す概略図である。
【図２】この発明の一実施形態の画像読取装置を示す図である。
【図３】この発明の他の実施形態における画像読取装置を示す図である。
【図４】この発明のさらに他の実施形態における画像読取装置を示す図である。
【図５】この発明のさらに他の実施形態の画像読取装置を示す図である。
【符号の説明】
【００３１】
１  原稿トレイ、２  給紙ローラ、３，４  ローラ、５ａ，５ｂ，６ａ，６ｂ，７ａ，７ｂ  搬送ローラ、８  排出トレイ、１６  搬送ベルト、１８  原稿、２０  読取部、２１  ガラス、２２，２３  ランプ、２４  セルフォックレンズ、２５  イメージセンサ、３１，３２  モータファン、４０，４１  ダクト、４２  基板。
【図１】
2006129253.tif 000003
【図２】
2006129253.tif 000004
【図３】
2006129253.tif 000005
【図４】
2006129253.tif 000006
【図５】
2006129253.tif 000007